(57)【要約】【課題】フェンスを浮上させて設置してできる分画層の成層強化を行うことができる成層安定化装置を提供すること。【解決手段】濁水対策用のフェンス３を貯水池２の両岸に差し渡すように浮上させて配設することにより該フェンス３の下流側２ｂの上層にフェンス３により分画された分画層４を形成させ、フェンス３の下をくぐり抜けて分画層４の下方（下層流入層５）に流入水Ｗを流下させることにより貯水池２の汚濁の長期化を避ける濁水対策フェンスを用いた貯水設備である。フェンス３の上流側の高温水（暖水塊）を分画層４に取込む高温水取込装置７及び又は前記分画層内の滞留水を分画層４内で鉛直方向に撹拌させる撹拌装置８を備えている。【選択図】図３
2008174966.tif 000002
【特許請求の範囲】
【請求項１】
濁水対策用のフェンスを貯水池の両岸に差し渡すように浮上させて配設することにより該フェンスの下流側の上層にフェンスにより分画された分画層を形成させ、フェンスをくぐり抜けて分画層の下方に流入水を流下させることにより貯水池の汚濁の長期化を避ける濁水対策フェンスを用いた貯水設備において、
前記フェンスの上流側の高温水を前記分画層に取込む高温水取込装置及び又は前記分画層内の滞留水を分画層内で鉛直方向に撹拌させる撹拌装置を備えたことを特徴とする貯水池における成層安定化装置。
【請求項２】
前記高温水取込装置は、浮上式フェンスに配設されてフェンス上流側の表層水を分画層に取り込む表層水取込装置であることを特徴とする請求項１記載の成層安定化装置。
【請求項３】
前記撹拌装置は、分画層を分画層底面から曝気する曝気装置又は分画層内の滞留水を分画層内で循環させる滞留水循環装置であることを特徴とする請求項１記載の成層安定化装置。
【請求項４】
前記高温水取込装置又は前記撹拌装置は、前記分画層における成層状態に影響する要素を計測する機器との連携により制御されて運転される運転・制御自動化装置を備えていることを特徴とする請求項１〜３のいずれかに記載の成層安定化装置。
【発明の詳細な説明】
【技術分野】
【０００１】
本発明は、濁水対策フェンスを貯水池に設置した場合に成層強化が図れる成層安定化装置に関する。
【背景技術】
【０００２】
ダム貯水池などの閉鎖性水域では、降雨による大規模な出水が発生した場合に、集水域から土粒子など大量の濁質が流入して貯留水が濁水化することで、放流水が長期間にわたって濁水化する、いわゆる濁水長期化現象が発生することが問題となっている。これは、平水時に貯水池に流入する清澄な河川の水であっても、出水時には掃流土砂により濁水化するためである。このような河川の濁水化は、河川のBOD,T-N,T-P,SSなどの数値を測定することにより確認され報告されている（例えば、非特許文献１参照。）。そして、この非特許文献１では、出水時の河川水質は掃流土砂による濁度だけでなく栄養塩濃度も上昇すると報告されている。
【０００３】
このような貯水池の洪水時の濁水長期化対策の一つとして、図１に示すように、ダム１の上流の貯水池２内の両岸に差し渡すようにして浮上式のフェンス３を設置した貯水設備が提案されている（例えば、非特許文献１、２または特許文献１参照。）。
【０００４】
このような貯水設備によれば、貯水池２内に浮上式フェンス３を設置することにより、貯水池２はフェンス３を境界として上流側２ａと下流側２ｂとに区分される。貯水池２内に流入する流入水Ｗは上流側２ａよりフェンス３の下をくぐり抜けて流れ、フェンス３により遮られた下流側２ｂの上層部では、流入水Ｗの流れの生じにくい部分を発生させることができる。以下、このフェンス下流の流入水Ｗの流れの生じにくい上層部の部分を分画層４と呼称し、その下方の部分を下層流入層５と呼称する。
【０００５】
このように洪水時に備えて浮上式フェンス３を設置すれば、洪水時の流入水Ｗは上流側２ａから下流側２ｂへ流れてダム１から放水される際に、下流側２ｂでは主に下層流入層５を流れる。この下層流入層５の上層にあたる分画層４では、流入水Ｗが汚染されてもフェンス３の作用により成層が保護され、汚染を回避することができる。これにより、分画層４に滞留する滞留水の量を多くすれば、貯水池２内の貯留水の大部分が汚染から回避されることにより、放流水の濁水化期間の短縮化を図ることができる。
【０００６】
このようなフェンス３の有無や、フェンス３を追加設置した場合の濁水化期間に与える影響は、非定常二次元モデルを用いたシミュレーションにより解析されている（例えば、非特許文献１参照。）。そこでは出水規模やフェンスあるいは選択取水対策の効果が内部フルード数との関係で検証され、フェンスを設置しない場合（無対策時）には、小規模かつ成層破壊の可能性が小さい出水でも濁水長期化が生じると報告され、フェンスの有効性が確認されている。
【０００７】
また、貯水池２における洪水時の濁水シミュレーションも検討されている（例えば、非特許文献３参照。）。
【特許文献１】特開２００５−１２０５８２号公報
【非特許文献１】宇田克己、「蓮ダムの清流保全対策について（４D−Ｐ２８）」、第９回世界湖沼会議（滋賀県）論文集、P529-532（２００１年１１月１１日）
【非特許文献２】吉村佐他、「寺内ダム貯水池における水質管理の調査報告」、ダム技術Ｎｏ．１１４、Ｐ１−Ｐ１２（１９９６年３月）
【非特許文献３】梅田信他、「ダム貯水池における洪水時濁水シミュレーションモデルの開発」、平成１４年度ダム水源地環境技術研究所所報ｐ３−ｐ１７、財団法人ダム水源地環境センター（平成１５年１１月発行）
【発明の開示】
【発明が解決しようとする課題】
【０００８】
濁水長期化対策には、フェンスの設置が有効であることは確認されているが、このような分画層内の滞留水を汚染させずに維持して放流水の濁水化期間の短縮化を図る為には、フェンスで分画された分画層が、その下層流入層と混ざり合わずに層状にきれいに分かれていることが望まれる。
【０００９】
しかしながら、フェンスを設置した場合の分画層内では、濁水化抑制効果に影響する初期の成層状態が様々である。また、この成層が弱く不安定な場合には、十分な濁水化抑制効果は得られない場合があると考えられる。
【００１０】
そこで、本発明の目的は、フェンスを浮上させて設置してできる分画層の成層強化を行うことができる成層安定化装置を提供することにある。
【課題を解決するための手段】
【００１１】
本発明者らは、上述の目的を達成するために鋭意研究を重ねた結果、ダム貯水池に流入する濁水（流入水Ｗ）は水温が低いので、成層化された分画層に太陽熱などの影響を受けて温度が上昇して密度が低下した表層水を導入させれば、分画層の成層強度を高めることができるのではないかと考えた。
【００１２】
また、同様に、太陽熱などの影響を受けて温度が上昇（密度が低下）した表層水を分画層内で拡散すれば、分画層水と分画層の下方の下層流入層の流水との界面での密度差が明確になることにより、分画層は、下層流入層と明確に層状に分かれて、成層の強度が高められるのではないかと考えた。
【００１３】
すなわち、本発明は、濁水対策用のフェンスを貯水池の両岸に差し渡すように浮上させて配設することにより該フェンスの下流側の上層にフェンスにより分画された分画層を形成させ、フェンスをくぐり抜けて分画層の下方に流入水を流下させることにより貯水池の汚濁の長期化を避ける濁水対策フェンスを用いた貯水設備において、前記フェンスの上流側の高温水を前記分画層に取込む高温水取込装置及び又は前記分画層内の滞留水を分画層内で鉛直方向に撹拌させる撹拌装置を備えたことを特徴とする貯水池における成層安定化装置である。
【００１４】
このような成層安定化装置によれば、フェンスの下流側のフェンスにより分画された分画層の成層安定度が向上する。
【００１５】
このような高温水取込装置としては、浮上式フェンスに配設されてフェンス上流側の表層水を分画層に取り込む表層水取込装置が挙げられる。
【００１６】
また、分画層内の滞留水を鉛直方向に撹拌させる撹拌装置としては、分画層内の滞留水を分画層内で鉛直方向に撹拌することにより分画層内の鉛直方向の温度分布を均一化させることにより分画層の安定化を図るものである。このような撹拌装置としては、例えば、分画層を分画層底面から曝気する曝気装置又は分画層内の滞留水を分画層内で循環させる滞留水循環装置が例示される。
【００１７】
本発明において、これらの高温水取込装置又は撹拌装置は分画層における成層状態に影響する要素を計測する機器との連携により制御されて運転される運転・制御自動化装置を備えていることが好ましい。
【００１８】
このような成層状態に影響する要素を計測する機器としては、例えば、タイマー、温度計、日射量計が例示される。
【００１９】
例えば、タイマーは、分画層等の水温が経時的に変化することを考慮して、予め設定された所定の時間帯に高温水取込装置を作動させて表層水を分画層に取り込んだり、また、所定の時間帯に滞留水循環装置を作動させて分画層内の表層水を分画層の全体に循環させたりするものである。
【００２０】
また、温度計は、表層水や分画層内の各位置の温度を温度計（温度センサ）により検知し、上流側の表層水の温度が分画層に比べて所定の温度よりも高い場合には高温水取込装置を作動させて表層水を分画層内に取り込んだり、また、分画層内の表層水の水温が分画層底面の水温に比べて所定の温度よりも高い場合には滞留水循環装置を作動させて表層水を含む分画層内の滞留水を分画層内で循環により撹拌して、分画層内の滞留水の温度（密度）を均質化させ、分画層底面の温度を下層流入層に比べて上昇（密度は低下）させて分画層と下層流入層との成層を強化させるものである。
【００２１】
また、一般的に昼間は太陽光等の影響で表層水が昇温するので、毎日所定の時間帯に高温水取込装置を作動させて分画層外の表層水を分画層内に取り込むように構成してもよい。日射量計などを設置すれば、表層水の昇温は日射量に比例すると考えられるので、日射量に応じて高温水取込装置又は撹拌装置を連動させてもよい。例えば、日射量が所定量を超えると高温水取込装置又は撹拌装置を作動させるなどして最適条件を設定すればよい。
【００２２】
さらに、これらの計測機器は、二つ以上の情報により制御されてもよい。すなわち、日射量とタイマーとの組み合わせ、タイマーと温度計との組み合わせ、温度計と日射量の組み合わせ、日射量とタイマーと温度計との組み合わせであってもよい。
【発明の効果】
【００２３】
本発明に従えば、浮上式フェンスを設置してできる分画層の成層強化を行うことができる成層安定化装置を提供することができる。これにより、貯水池の濁水化抑制効果を増強することができる。
【発明を実施するための最良の形態】
【００２４】
以下、本発明を実施するための最良の形態について図面に基づき説明する。なお、従来技術と同一乃至は均等な部位部材は、同一番号を付して詳細な説明は省略することがある。
【実施例１】
【００２５】
図２は、図１に示す浮上式のフェンス３を設置した貯水設備の成層期における水温分布を模式的に示すものである。ここで、符号３０は、フロート３１の浮力により一側縁が水面に浮上し、他側縁が重りなどにより水中に垂下して最深部３２が形成された浮上式のフェンス本体である。このフェンス３は、不図示のロープなどにより貯水池２の両岸に差し渡されて設置されている。
【００２６】
このような貯水設備によれば、貯水池２内に流入する洪水時の流入水Ｗは上流側２ａよりフェンス本体３０の最深部３２をくぐり抜けて下流側２ｂへ流れてダム１（この図では不図示）から放水される。フェンス３近傍の上流側２ａ及び下流側２ｂの上層付近では流れの生じにくい滞留部分が形成され、この滞留部分の温度はそれぞれの温度分布６Ａ、６Ｂに示されるように、流入水Ｗに比べて温度が上昇されている。
【００２７】
このように洪水時に備えてフェンス３を設置すれば、流入水Ｗが上流側２ａから下流側２ｂへ流れてダム１から放水される際に、この下層流入層５の上層にあたる分画層４では、フェンス３の作用により成層が保護され、汚濁された流入水Ｗに汚染されない。これにより、分画層４に滞留する滞留水の量を多くすれば、貯水池２内の貯留水の大部分が汚染から回避されることにより、放流水の濁水化期間の短縮化を図ることができる。
【００２８】
通常、成層期の貯水池２では、昼間の日射等により表層の水温が上昇して、高温、低密度の水塊が表層に分布する温度成層が生じる。日射等は水域全体に同様に働くため、温度成層は水平的に同様である。これにより、濁水対策用のフェンス３を設置した場合も、その上流側２ａと下流側２ｂとの間で水温分布に差異無く、表層付近に高温の暖水塊（低密度の水塊）が発生する。
【００２９】
ポンプ等の水循環装置または水塊を一定方向に流す構造などの高温水取込装置７をフェンス３またはその付近に配設し、図３に模式的に矢印７により示すように、上流側２ａの表層の暖水塊（低密度の水塊）を下流側２ｂの分画層４に取り込むと、上流側の対策時の温度分布６’Ａに比べて分画層４の対策時の温度分布６’Ｂを高め、結果として分画層４の温度分布６’Ｂを無対策時の温度分布６Ｂより高温とすることができる。
【００３０】
ここで、高温水取込装置７としては、上流側２ａの表層の暖水塊（低密度の水塊）を下流側２ｂの分画層４に取り込めればどのような構造でもよいが、例えば、図８に示すポンプ等の水循環装置７０、図９または図１０に示す水塊を一定方向に流す構造が例示される。
【００３１】
図８に示す水循環装置７０では、フェンス本体３０のフロート３１または該フロート３１に固定されたフロート３１’に固定されて、上流側２ａの表層付近の高温水塊を入り口７１ａから取り込んで出口７１ｂから下流側２ｂへ送給するための取込水路７１が設けられている。この取込水路７１には、水路内を上流側２ａから下流側２ｂに向けて水を強制的に送給するためのインペラーなどの強制送水設備７２が配設されている。入り口７１ａにはストレーナ７３と誘導部７４が設けられ、また、出口７１ｂには、逆止弁７５が設けられている。この誘導部７４は、上下の矢印ａ方向に可変であり、誘導部７４を上下に変動させることにより、取り込むべき水の水深が調整される。
【００３２】
また、図９に示す高温水取込装置７は水塊を一定方向に流す鉛直的構造の一例であり、フェンス本体３０の上方に開口７６を設け、この開口７６に、図示のような上流側２ａから下流側２ｂに向けて昇り傾斜した誘導板（逆止構造部分）７７を配設する。このような高温水取込装置７によれば、誘導板７７が逆止構造部分となり、上流側２ａの高温水塊を流れＡに沿って下流側２ｂに流入させる。これにより、特別の強制力を設けずに、構造的な因子により上流側２ａの高温水塊を下流側２ｂに取り込むことができる。
【００３３】
この誘導板７７は、図では一枚であるが、複数枚設けてもよく、また、設置位置は設置すべき水深に応じて自由である。また、この誘導板７７は、図示の位置で固定されていても、また、可動式にすることにより、開閉式としてもよい。
【００３４】
可動式とする場合、閉鎖状態から図示の方向にのみ開放する構造とすれば、点線矢印で示すように、下流側２ｂの高温水が上流側２ａに逆流させることを防止できる。また、洪水時には、流水を遮断する構造とすることもできる。
【００３５】
つぎに、図１０及び図１１に示す高温水取込装置７は水塊を一定方向に流す水平的構造の一例であり、フェンス本体３０の上方に水平に細長い開口７８を設け、この水平開口７８に、図示のような上流側２ａから下流側２ｂに向けて幅方向に漸減的に流路を狭めた門部（逆止構造部分）７９を配設する。このような高温水取込装置７によれば、門部７９が逆止構造部分となり、上流側２ａの高温水塊を流れＡに沿って下流側２ｂに流入させる。これにより、特別の強制力を設けずに、構造的な因子により上流側２ａの高温水塊を下流側２ｂに取り込むことができる。
【００３６】
ここで、この門部７９の配設数は任意であり、また、設置位置は設置すべき水深に応じて自由である。また、この門部７９は、図示の位置で固定されていても、また、可動式にすることにより、開閉式としてもよい。
【００３７】
可動式とする場合、閉鎖状態から図示の方向にのみ開放する構造とすれば、図１０において点線矢印で示すように、下流側２ｂの高温水塊は狭い門部７９に阻まれて上流側２ａに逆流させることを防止できる。また、洪水時には、流水を遮断する構造とすることもできる。
【００３８】
つぎに、このような分画層４の温度分布を高温とすることにより成層が強化される原理について説明する。
【００３９】
成層変化量は、図４または図５に示すように、フルード数の減少に従って、またはリチャードソン数の増大に従って減少させることができるので、成層による安定度を増大させるには、フルード数を減少させるか、またはリチャードソン数を増大させればよい。
【００４０】
ここで、流速ｖの流れに伴う混合による成層境界水深の変化の一般的な水理指標の定義から、水理指標であるフルード数およびリチャードソン数は、図６に示すように、それぞれ式Ｉおよび式IIによって定義できる。したがって、流速ｖ及びフェンス深さｈが同一であれば、下層水密度ρ１と上層水密度（分画層４の密度）ρ２との密度差Δρが大きければ大きいほど成層変化量は小さくなり、したがって、成層強化を図ることができる。
【００４１】
本発明者等の研究によれば、これまでの濁水流入時の成層変化についての実験成果から、成層状態が強いほど濁水流入時の成層変化が小さく、すなわちフェンス分画層の濁水化が抑制されることが分かっている。このことから、本発明に係る成層安定化装置を用いれば、温度成層を強化することで、濁水対策フェンスの濁水化抑制効果がより強化されるものと考えられる。
【００４２】
これにより、実施例１に従う高温水取込装置７をフェンス３の設置と併用することにより、分画層４の成層を強化することで、濁水対策用のフェンスの濁水化抑制効果を強化することができる。
【００４３】
また、貯水池等の表層の水温上昇は通常昼間に限られるので、高温水取込装置７の制御を、タイマー、温度計、その他の成層状態に影響する要素を計測する機器と連携させて行うことで、効率的に分画層４の成層状態を強化することができるものと考えられる。
【実施例２】
【００４４】
実際の貯水池等では成層状態がフェンス深さと必ずしも一致しておらず、設置したフェンス深さが分画層形成の上で有効に働いていない状況も考えられる。また、昼間は日射等の影響により表層の水温が上昇して、さらに気象条件等によりその程度は大きく異なる場合も想定される。
【００４５】
そこで、この実施例２では、無対策時に表層の水温が上昇する貯水設備の一例として、図７の無対策時の温度分布９に示すように、分画層４の鉛直方向（深度方向）の温度分布が表層付近に行くに従って温度上昇が見られる貯水設備の改良例を説明する。なお、以下の説明では、実施例１と同一乃至は均等な部位部材は同一符号を付して詳細な説明は省略している。
【００４６】
このような、無対策時の温度分布９を有する貯水設備において、フェンス３の最深部３２と略同一深さとなる下流側２ｂの分画層４の底面４ａ付近に撹拌装置としての一台または複数台の曝気装置８を配設する。
【００４７】
このような曝気装置８を配設すれば、曝気装置８から排出される気泡８ａにより分画層４内の滞留水は分画層内で鉛直方向に撹拌できる。これにより分画層４の鉛直方向（深度方向）の温度分布は、対策時の温度分布９’として示すように、分画層４内の鉛直方向に略均一な温度分布を呈することになる。
【００４８】
これにより、成層状態がフェンス深さと必ずしも一致していない場合などにおいても、成層状態とフェンス深さとを一致させることができ、分画層４と下層流入層５との界面である分画層４の底面４ａでの密度差を高めることにより、分画層４の成層を一層強化させることができる。
【００４９】
貯水池等の表層の水温上昇は通常昼間に限られるので、曝気装置８の制御を、タイマー、温度計、その他の成層状態に影響する要素を計測する機器と連携させて行うことで、効率的に分画層４の成層状態を強化することができるものと考えられる。
【実施例３】
【００５０】
実施例２において、図７に示す鉛直水循環装置８に代えて、図１２に示すような水循環装置８０を用いてもよい。
【００５１】
この水循環装置８０では、浮体３１’に固定されてフェンス３の長さよりも少し短い鉛直方向に延びる循環水路８１が設けられている。この循環水路８１は、入り口８１ａから分画層４内の表層の水を取り込んで出口８１ｂからフェンス３の最深部３２付近へ送り出すためのものであり、循環水路８１の内部には、上方から下方に向けて内部の水を送給するための強制送水設備８２が配設されている。また、循環水路８１の出口８１ｂの下方であって、分画層４と下層流入層５との界面（分画層４の底面４ａ）付近には、出口８１ｂから流出する水の流れ方向を水平方向へ変更する邪魔板８３が設けられている。
【００５２】
このような水循環装置８０では、強制送水設備８２が浮体３１’に設置された駆動部８４により駆動され、入り口８１ａ付近の高温水塊を取り込んで高温水塊を出口８１ｂから排水する。出口８１ｂから排水された高温水塊は、邪魔板８３により水平方向に排水され、比重により上方に向けて矢印に従って分画層４内を循環する。
【００５３】
これにより、分画層４内の滞留水は鉛直方向に撹拌され、分画層４の鉛直方向（深度方向）の温度分布は図７の対策時の温度分布９’と同様に、鉛直方向に略均一な温度分布を呈し、下層流入層５と明確な密度境界面が形成される。
【００５４】
これにより、実施例２と同様に、成層状態がフェンス深さと必ずしも一致していない場合などにおいても、成層状態とフェンス深さとを一致させることができ、分画層４と下層流入層５との界面である分画層４の底面４ａでの密度差を高めることにより、分画層４の成層を一層強化させることができる。
【００５５】
貯水池等の表層の水温上昇は通常昼間に限られるので、水循環装置８０の制御を、タイマー、温度計、その他の成層状態に影響する要素を計測する機器と連携させて行うことで、効率的に分画層４の成層状態を強化することができるものと考えられる。
【００５６】
以上実施例により本発明を詳細に説明したが、本発明はこれらの実施例に限定されない。例えば、実施例１に従う高温水取込装置７と、実施例２に従う曝気装置８及びまたは実施例３に従う水循環装置８０を併設してもよい。併設することにより、一層の成層強化が図れるであろうことは容易に推考される。
【産業上の利用可能性】
【００５７】
本発明に係る成層安定化装置によれば、分画層の成層強化が図れることにより、ダム貯水池に代表される洪水時の濁水化等の成層破壊による水質障害が問題となり得る水域について、問題発生を防止、抑制することができる。
【図面の簡単な説明】
【００５８】
【図１】一般的な濁水対策用のフェンスを設置した状態の貯水設備の概要を説明する図である。
【図２】図１の成層期の貯水池の水温分布を説明する図である。
【図３】高温水取込装置７の稼働時のフェンス３上下流における水温分布の変化を模式的に示した図である。
【図４】水理指標としてのフルード数と成層変化量の関係を説明する図である。
【図５】水理指標としてのリチャードソン数と成層変化量の関係を説明する図である。
【図６】水理指標としてのフルード数またはリチャードソン数を説明する図である。
【図７】鉛直水循環装置８を設置した場合における分画層４内の成層状態変化（温度分布の変化）の例を模式的に示す図である。
【図８】高温水取込装置７の一例としてのポンプ等の水循環装置を説明する図である。
【図９】高温水取込装置７の一例としての水塊を一定方向に流す構造を説明する図である。
【図１０】高温水取込装置７の一例としての水塊を一定方向に流す構造を説明する図である。
【図１１】図１０を上方から見た平面模式図である。
【図１２】鉛直水循環装置８の一例としての水循環装置８０を説明する図である。
【符号の説明】
【００５９】
１：ダム
２：貯水池
２ａ：上流側
２ｂ：下流側
３：フェンス（浮上式フェンス）
３０：フェンス本体
３１，３１’：フロート（浮体）
３２：重り（他側縁：最深部）
４：分画層
４ａ：底面（分画層４と下層流入層５との界面）
５：下層流入層
６Ａ：温度分布（上流側）
６Ｂ：温度分布（下流側）
７：高温水取込装置（水循環装置または水塊を一定方向に流す構造）
７０：水循環装置
７１：取込水路
７１ａ：入り口
７１ｂ：出口
７２：強制送水設備
７３：ストレーナ
７４：誘導板
７５：逆止弁
７６：開口
７７：誘導板（逆止構造部分）
７８：水平開口
７９：門部（逆止構造部分）
８：撹拌装置（曝気装置または鉛直水循環装置）
８０：水循環装置
８１：循環水路
８１ａ：入り口
８１ｂ：出口
８２：強制送水設備
８３：邪魔板
８４：駆動部
９：温度分布（無対策時の温度分布）
９’：温度分布（対策時の温度分布）
【図１】
2008174966.tif 000003
【図２】
2008174966.tif 000004
【図３】
2008174966.tif 000005
【図４】
2008174966.tif 000006
【図５】
2008174966.tif 000007
【図６】
2008174966.tif 000008
【図７】
2008174966.tif 000009
【図８】
2008174966.tif 000010
【図９】
2008174966.tif 000011
【図１０】
2008174966.tif 000012
【図１１】
2008174966.tif 000013
【図１２】
2008174966.tif 000014